(57)【要約】【課題】快適さ、住み心地に客観的に結びつく居住空間の印象を客観的に提案可能な類型に分け、それに見合った床、建具、造作材等を提案する。【解決手段】所与の色の配色体系に準拠した色知覚の３属性（色相、明度、彩度）のいずれかの系列を部屋の配色の色域を表す複数の色域群に分割し、部屋の壁、床面を合計した面積に対して当該部屋の内装を構成する建具、床材、造作材等の構成部材の占める割合を所定の範囲で複数の面積群に区分けし、前記色域群に属する任意の群および面積群に属する任意の群との一対一の組合せに相当する当該部屋を表示する要素の配列からなるモデル群の配列を作成し、このモデル群の配列を利用して部屋の居住空間としての特性評価をする基準を立ててこれらの居住空間を類型化して提案する。【選択図】  図５
2004212625.tif 000002
【特許請求の範囲】
【請求項１】
所与の色の配色体系に準拠した色知覚の３属性（色相、明度、彩度）のいずれかの系列を部屋の配色の色域を表す複数の色域群に分割し、
部屋の少なくとも壁、床面を合計した面積に対して当該部屋の内装を構成する建具、床材、造作材等の構成部材の占める割合を所定の範囲で複数の面積群に区分けし、
前記色域群に属する任意の群および面積群に属する任意の群との一対一の組合せに相当する当該部屋を表示する要素の配列からなるモデル群の配列を作成し、このモデル群の配列を利用して部屋の居住空間としての特性評価をする基準を立ててこれらの居住空間を類型化することを特徴とするトータルコーディネートのための居住空間の類型化方法。
【請求項２】
所与の色の配色体系に準拠した色知覚の３属性（色相、明度、彩度）のいずれかの系列を部屋の配色の色域を表す複数の色域群に分割し、
部屋の少なくとも壁、床面を合計した面積に対して当該部屋の内装を構成する建具、床材、造作材等の構成部材の占める割合を所定の範囲で複数の面積群に区分けし、
前記色域群に属する任意の群および面積群に属する任意の群との一対一の組合せに相当する当該部屋を表示する要素の配列からなるモデル群の配列を作成し、前記モデル群に属する各部屋において構成部材として用いられる商品を種類ごとに品揃えして各部屋に属する商品グループをさらに細分化した個別商品群に区分けし、
前記モデル群の配列に基づいて類型化した複数の類型を表示した表示媒体を提示し、選択された類型に属する部屋の構成部材を前記個別商品群の中から提示することを特徴とするトータルコーディネートのための部屋構成部材の提案方法。
【請求項３】
所与の色の配色体系に準拠した色知覚の３属性（色相、明度、彩度）のいずれかの系列を部屋の配色の色域を表す複数の色域群に分割し、部屋の少なくとも壁、床面を合計した面積に対して当該部屋の内装を構成する建具、床材、造作材等の構成部材の占める割合を所定の範囲で複数の面積群に区分けし、前記色域群に属する任意の群および面積群に属する任意の群との一対一の組合せに相当する当該部屋を表示する要素の配列からなるモデル群の配列に基づいて類型化した複数の類型を表示することを特徴とするトータルコーディネートのための部屋構成部材の提案ツール。
【発明の詳細な説明】
【０００１】
【発明の属する技術分野】
本発明は、トータルコーディネートのための居住空間の類型化方法および部屋構成部材の提案方法ならびに提案ツールに関する。
【０００２】
【従来の技術】
従来は、居住環境に対する要求は、主として機能性や耐久性の視点からのものが多かったが、近年では、機能性や耐久性は当然のこととして、さらに快適さや住み心地の良さといった高度な付加価値の要求へとかわってきている。そのような住まいの価値観の変化を背景として、マンションや戸建て住宅の居住空間に対する嗜好の多様化、個性化が進んでいる。
【０００３】
マンションや戸建て住宅において、部屋の間取り等の設計が確定した後、部屋の内装をどのようにするかを決めるにあたって、ビルダーは施主の好みに沿うように、床、壁、建具、造作材をカタログ等でプレゼンテーションしながら提案している。
【０００４】
提案の仕方は、従来は床、建具、壁について様々な種類のものを網羅的に掲載したカタログを用いて、床、建具、壁を個別に提案していたのに対して、建具と床について色、柄を組み合わせてあらかじめコーディネートした組合せのモデルをカタログで提案したり、和風、新和風、欧風、新欧風というように、伝統的な和洋の建築様式に沿ったコンセプトで建具、床等をコーディネートしたものをカタログで提案したり、あるいは、部屋のスタイルとして、その名称でただちにイメージが喚起されるように名称（例えば、クラシック、エレガント、トラッド、ナチュラル、アーバンというように）を付け、そのイメージに合うように床、建具、壁等をコーディネートしたものを提案するといったものが最近の傾向であり、住宅メーカー各社それぞれにコーディネートに趣向を凝らしている。
【０００５】
【発明が解決しようとする課題】
しかしながら、従来の個々の建具等を載せたカタログでの提案方法では、一つ一つ床、建具、造作材などを個別に選んでいく煩雑さもさることながら、内装完了後の部屋の実際が思い描いていたイメージと一致しないということがある。
【０００６】
また、和洋の建築様式に沿ったコンセプトで統一したものや、特定のイメージに則ったスタイルで統一したものの提案では、趣味、嗜好、流行に訴えるという主観的な面があり、実際の生活する居住空間としての部屋の快適さ、住み心地という客観的な価値を提案段階で評価できないという問題がある。例えば、部屋の中にいても圧迫感をあまり感じずすがすがしい凛然とした印象や、部屋の中のすべてがバランス良く調和しているときの感じる落ち着いた印象や、ぬくもりのある暖かな印象などは、居住空間の快適さ、住み心地に客観的に結びつく印象である。しかしながら、このような居住空間の印象を趣味、嗜好、流行に関係なく、提案段階で客観的に提案することは従来の提案方法では困難であった。
【０００７】
そこで、本発明の目的は、前記従来技術の有する問題点を解消し、快適さ、住み心地に客観的に結びつく居住空間の印象を客観的に提案可能な類型に分け、それに見合った床、建具、造作材等を提案できるようにしたトータルコーディネートのための部屋構成部材の類型化方法および部屋構成部材の提案方法ならびに提案ツールを提供することにある。
【０００８】
【課題を解決するための手段】
前記の目的を達成するために、本発明に係るトータルコーディネートのための部屋構成部材の類型化方法は、所与の色の配色体系に準拠した色知覚の３属性（色相、明度、彩度）のいずれかの系列を部屋の配色の色域を表す複数の色域群に分割し、部屋の少なくとも壁、床面を合計した面積に対して当該部屋の内装を構成する建具、床材、造作材等の構成部材の占める割合を所定の範囲で複数の面積群に区分けし、前記色域群に属する任意の群および面積群に属する任意の群との一対一の組合せに相当する当該部屋を表示する要素の配列からなるモデル群の配列を作成し、このモデル群の配列を利用して部屋の居住空間としての特性評価をする基準を立ててこれらの居住空間を類型化することを特徴とするものである。
【０００９】
また、本発明に係るトータルコーディネートのための部屋構成部材の提案方法は、所与の色の配色体系に準拠した色知覚の３属性（色相、明度、彩度）のいずれかの系列を部屋の配色の色域を表す複数の色域群に分割し、部屋の少なくとも壁、床面を合計した面積に対して当該部屋の内装を構成する建具、床材、造作材等の構成部材の占める割合を所定の範囲で複数の面積群に区分けし、前記色域群に属する任意の群および面積群に属する任意の群との一対一の組合せに相当する当該部屋を表示する要素の配列からなるモデル群の配列を作成し、前記モデル群に属する各部屋において構成部材として用いられる商品を種類ごとに品揃えして各部屋に属する商品グループをさらに細分化した個別商品群に区分けし、前記モデル群の配列に基づいて類型化した複数の類型を表示した表示媒体を提示し、選択された類型に属する部屋の構成部材を前記個別商品群の中から提示することを特徴とするものである。
【００１０】
さらに、本発明に係るトータルコーディネートのための部屋構成部材の提案ツールは、所与の色の配色体系に準拠した色知覚の３属性（色相、明度、彩度）のいずれかの系列を部屋の配色の色域を表す複数の色域群に分割し、部屋の少なくとも壁、床面を合計した面積に対して当該部屋の内装を構成する建具、床材、造作材等の構成部材の占める割合を所定の範囲で複数の面積群に区分けし、前記色域群に属する任意の群および面積群に属する任意の群との一対一の組合せに相当する当該部屋を表示する要素の配列からなるモデル群の配列に基づいて類型化した複数の類型を表示することを特徴とするものである。
【００１１】
【発明の実施の形態】
以下、本発明の一実施形態について、添付の図面を参照しながら説明する。
図１、図２は、本発明を適用して部屋のトータルコーディネートを提案するモデルルームの例を示す図である。これらの図１、図２において、参照符号１は床を示し、２は壁、３はサッシ、４は扉、５は各種の造作材、６は天井を示している。
【００１２】
部屋の内装は、全体としてデザイン、色彩の統一的なコーディネートにより居住空間としての空間的な印象を様々なものに変えることができる。それは具体的には、床１の色合いと壁２の色とのコントラストや、扉４や造作材５のように、一般に木質素材や麻や綿などの生成素材のの色調や質量感やデザインにより大きく変化し、あるいはサッシ３のサイズ、デザインにより室内の開放感は大きく影響される。
【００１３】
例えば、床１、扉４の色調を濃い木質感のものにすると、重厚な雰囲気の居住空間となり、明るい木質感のものにすると広がりをもった居住空間となり、さらにそれに造作材５の色、模様、デザインを組み合わせることにより自在にデザインのテーマやアクセントを強調させることができる。
【００１４】
本実施形態では、部屋のコーディネートの基調となる配色について、色の配色体系として確立されているマンセルカラーシステムに準拠して、次のようにして、部屋の配色を複数の色域群に分割したものを考える。
【００１５】
このマンセルカラーシステムは、色知覚の３属性（色相、明度、彩度）を数値化して、色彩を体系付けるシステムである。色相は、赤（Ｒ）、黄（Ｙ）、緑（Ｇ）、青（Ｂ）、紫（Ｐ）の５つの主要色相を基本として、中間の色相ＹＲ、ＧＹ、ＧＢ、ＰＢ、ＲＰというように基本色相の頭文字の規則的な組み合わせにより表し、基本色相と中間色相の規則的な組合せによりすべての色相を合わす。明度は、１〜９．５の数値で表し、数値が大きい程明るい明度としている。彩度は、０〜１４で表し、無彩色が０で、数値が大きい程鮮やかな彩度を表している。
【００１６】
本実施形態では、部屋の配色を色の３属性のうち、明度に着目して、明度の系列を図３に示すように７つの色域群に分割する。この色域群の例では、第１色域群から第７色域群に区分けされ、第１色域群から第７色域群に向かって順次暗い明度の色を包含するようになる。
【００１７】
そこで、提案の対象として予め用意されている様々なモデルルームについて、基調となる配色がいずれの色域群に属するかを判定する。このような明度を基準とした色域群によれば、部屋の内装を構成するどうのような部材であっても、たとえそれが色そのものは部材により異なり、また木目で表現され得る色彩であったとしても、基調となる明度は部屋として統一されているものであるから、各モデルルームはいずれかの色彩群に属することになる。
次に、提案の対象として予め用意されている様々なモデルルームについて、面積群というものを考える。この面積群は、モデルルームの壁、床面の面積を合計した面積に対してモデルルームの内装を構成する建具、床材、造作材等の木質系の構成部材の占める割合に応じてグループ化したものである。図４に示すように、この実施形態では、第１面積群は、木質系部材の占める面積が２０％以下、第２面積群は２０〜４０％、第３面積群は４０〜６０％、第４面積群は６０〜８０％、第５面積群は８０％以上というように、５つの面積群に区分けしている。
【００１８】
予め用意されている各モデルルームの設計図面等に基づいて、上述の木質系部材の占める面積の割合を算出し、各モデルルームは、第１乃至第５面積群のいずれの群に属することになる。
【００１９】
そこで、図５に示すように、横の行の並びに第１色域群から第７色域群をとり、縦の列の並び第１面積群から第５面積群をとり、各モデルルームを配列する。この配列では、例えば、モデルルーム（１、１）は、色域群は第１色域群に属し面積群は第１面積群に属する部屋である。モデルルーム（５、４）であれば、色域群は第５色域群に属し、面積群は第４面積群に属するモデルルームである。このような各モデルルーム（ｉ，ｊ）は、その部屋のイメージを表す図、あるいは写真、静止画像をもって対応する位置に配列すれば、図５のような配列とすることができる。
【００２０】
以上のような配列を利用すれば、図５において、点線で示す領域に属するモデルルームを、全体として調和の取れた「まとまり感」のある居住空間をもつグループ、実線で示す領域に属するモデルルームを、全体として明るく開放感があり、ひろびろと感じる「ひろがり感」のある居住空間をもつグループ、一点鎖線で示す領域に属するモデルルームを、落ち着いてしっとりとして住む人が居住空間との一体感を感じる「つつまれ感」のある居住空間をもつグループというように、居住空間としての特性評価に基づいて客観的に類型化することができる。
【００２１】
このような類型化によって、実際にできあがっていない部屋の居住空間としての住み心地に関するイメージを具体的に喚起させることができる。しかも、実際できあがった部屋の印象とは、相当の蓋然性をもって一致する。
【００２２】
このように類型化された室内空間の類型は、各類型を代表するモデルルームや必要な説明、部屋の表示などとともに、カタログのような印刷物の形態として顧客に提供される。また、この図５の配列と組み合わせて、次のように細分化した個別商品群が区分けされる。
【００２３】
図６は、一例として図５のモデルルーム（３，１）に用いられる構成部材に対応する個別商品群である。この例では、個別商品第１群には、室内ドアが属し、第２群は引き戸、第３群は床材、第４群は窓枠、第５群は造作材の群である。各群には、このモデルルーム（３，１）の色調の調和する候補商品が複数所属するようになっている。
【００２４】
このような個別商品群は、図５にあるモデルルーム（ｉ，ｊ）のすべてについてそれぞれあらかじめ用意され、カタログのような印刷物の形態として顧客に提供される。
【００２５】
したがって、図５のようにモデルルーム（ｉ，ｊ）の配列に基づいて類型化された室内空間とともに説明等が掲載されたカタログを提示された顧客は、まず、類型化されたモデルルームをどれか一つ選択すると、ビルダーはそのモデルルームの類型に属する個別商品群の各群の中からそれぞれ各部材を提案すればよい。このように選択された部材によりコーディネートされた部屋は、まとまり感のあるモデルルームであれば、実際にできあがった部屋の特性は、顧客の予想と違わずまとまり感のある居住空間になることはもちろんである。
【００２６】
以上の実施形態では、図５のようなモデルルーム（ｉ，ｊ）の配列と、図６のような個別商品群の配列を紙を媒体とする印刷物の形態で提示する場合について説明したが、本発明では、媒体は印刷物に限られるものではなく、コンピュータのモニターに表示してプレゼンテーションしたり、インターネットのホームページとして表示しプレゼンテーションするというように、電子的な媒体を通じても印刷物の場合とまったく同じように提案することができる。
【００２７】
また、上述の実施形態では、部屋の配色の色域を明度を基準とする色域群に分割した例であるが、色相、彩度を基準として色域群を作るようにすることもできる。さらに、実施形態では、色の配色体系は、マンセルカラーシステムに準拠しているが、配色体系はマンセルカラーシステムに限定されるものではなく、例えば、ＰＣＣＳ（日本色研配色体系）のようなシステムに準拠して同じ考え方で色域群をつくるようにしてもよい。
【００２８】
さらに、面積群の区分けの基準についても、壁、床面の面積の合計面積に対する構成部材の占める割合に限られるだけでなく、壁、床面の面積と天井の合計面積に対する構成部材の占める割合を基準とするというように、壁、床と他のものを組み合わせるようにしてもよい。
【００２９】
【発明の効果】
以上の説明から明らかなように、本発明によれば、快適さ、住み心地に客観的に結びつく居住空間の印象を客観的に評価可能な類型に分け、それに見合った床、建具、造作材等を提案することができる。
【図面の簡単な説明】
【図１】本発明による提案方法により提案するモデルルームの一例を示す説明図。
【図２】本発明による提案方法により提案するモデルルームの他の一例を示す説明図。
【図３】色域の明度を基準として複数の色域群に分割する例を示す説明図。
【図４】面積群の区分けの仕方を示す説明図。
【図５】モデルルームを色域群と面積群とに相関させた配列例を示す説明図。
【図６】特定のモデルルームについての個別商品群の例を示す説明図。
【符号の説明】
１  床
２  壁
３  サッシ
４  扉
５  造作材
【図１】
2004212625.tif 000003
【図２】
2004212625.tif 000004
【図３】
2004212625.tif 000005
【図４】
2004212625.tif 000006
【図５】
2004212625.tif 000007
【図６】
2004212625.tif 000008